(57)【要約】【課題】  換気装置の屋外に配設される部分の取付作業及び着脱作業を容易にした空気調和機を提供する。【解決手段】  室内に設置される室内機１と、屋外に設置される室外機とを壁穴を通してユニット間配管３１で接続するようにした空気調和機において、屋外に設置される換気用の室外ファン２０と、この室外ファン２０を収納するファンケース１３Ｂと、このファンケース１３Ｂに接続され前記壁穴に挿通されて家屋の内外に配される給排気管１６とを有する換気装置を備え、前記ファンケース１３Ｂにユニット間配管３１へ取り付けるための固定部３６を設けた。【選択図】      図１
2005077044.tif 000002
【特許請求の範囲】
【請求項１】
室内に設置される室内機と、屋外に設置される室外機とを壁穴を通してユニット間配管で接続するようにした空気調和機において、
屋外に設置される換気用の室外ファンと、この室外ファンを収納するファンケースと、このファンケースに接続され前記壁穴に挿通されて家屋の内外に配設される給排気管とを有する換気装置を備え、前記ファンケースにユニット間配管へ取り付けるための固定部を設けたことを特徴とする空気調和機。
【請求項２】
前記固定部はＣ字形状をし、このＣ字形状部分をユニット間配管に対して着脱自在に外嵌することを特徴とする請求項１に記載の空気調和機。
【発明の詳細な説明】
【技術分野】
【０００１】
本発明は、室内空気を換気する換気装置を具備させて、より快適な室内環境を提供することができるように成した空気調和機に関する。
【背景技術】
【０００２】
今日、室内の壁に分離型空気調和機の室内機を配し、室内空気を室内機内部の循環ファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来から空気調和機に換気装置を備えるものがある。例えば、建物の壁に、空気調和機の室内機と室外機間の冷媒配管が通過する空間および換気通路を有する壁穴を形成し、換気用ファン及びこれを駆動するためのファンモータを屋外でかつ換気通路の出口近傍に設けた換気装置（例えば、特許文献１参照）や、建物の壁に、冷媒配管が通過する空間及び換気通路を有する壁穴を形成し、ファンモータの左右両軸に設けたシロッコファンのうち一方が排気用導風路内に収容され、他方のシロッコファンが給気用導風路に収容された送風機を内装した換気ユニットを屋外でかつ換気通路の出口近傍に設け、片方のシロッコファンの回転により室内空気を排気用導風路から屋外へ排気し、同時に他方のシロッコファンの回転により外気を給気用導風路から室内へ取り入れて換気を行うようにした換気装置が開示されている。（例えば、特許文献２参照）。
【特許文献１】特開２００１−２７４３３
【特許文献２】特許第２６２９６６５号公報
【発明の開示】
【発明が解決しようとする課題】
【０００４】
しかしながら、上述したような換気装置は、屋外側に室外ファン、ファンモータ及びファンケースを有しこれら屋外部分を外側壁面へ取付固定するようになっており、壁面の種類や、硬さ、古さ等を考慮して取り付ける必要があるため、取付作業に手間がかかっていた。また、室外ファン及びファンモータの点検や交換をする際に壁面から外して行うことがあり、その着脱作業に手間を要していた。
【０００５】
本発明の目的は、上記の事情に鑑みなされたものであり、換気装置の屋外に配設される部分の取付作業及び着脱作業を容易にした空気調和機を提供することである。
【課題を解決するための手段】
【０００６】
上記課題を解決するために、請求項１に記載の発明は、室内に設置される室内機と、屋外に設置される室外機とを壁穴を通してユニット間配管で接続するようにした空気調和機において、屋外に設置される換気用の室外ファンと、この室外ファンを収納するファンケースと、このファンケースに接続され前記壁穴に挿通されて家屋の内外に配設される給排気管とを有する換気装置を備え、前記ファンケースにユニット間配管へ取り付けるための固定部を設けたことを特徴とする。
【０００７】
請求項２に記載の発明は、請求項１に記載の空気調和機において、前記固定部はＣ字形状をし、このＣ字形状部分をユニット間配管に対して着脱自在に外嵌することを特徴とする。
【発明の効果】
【０００８】
本発明によれば、空気調和機に具備される換気装置の屋外に配設される部分をユニット間配管へ取り付けるように固定部を設けたことにより、従来のように換気装置を家屋の壁に取付固定する場合に比べ、壁の種類や硬さ、古さ等を考慮しなくて良いので、換気装置の取付作業が容易になる。
【０００９】
また、換気装置をユニット間配管に対して着脱自在に取り付けるので、換気装置を取り外して室外ファンやファンモータ等の点検・交換をする際には、その作業が容易になり作業時間を短縮することができる。
【実施例１】
【００１０】
以下、本発明の一実施形態を図面に基づいて説明する。図１は室内機の内部に排気用の室内ファンを設け、屋外に給気用の室外ファンを設けて給気又は排気を行い換気させる換気装置を備えた空気調和機を示す斜視図、図２は換気装置の室外ファンケースを後方から見た斜視図、図３は室外ファンケースの固定部を示す要部平面図である。ユニット間の
図１において、本空気調和機は、室内機１と室外機（図示せず）とを有して２本の冷媒配管３１ａ、３１ｂ（図３参照）にてつながれており、これら２本の冷媒配管３１ａ、３１ｂ（以下、ユニット間配管３１という）と、室外機に内蔵された冷媒圧縮機、室外熱交換器、減圧装置と、室内機１に内蔵された室内熱交換器６と、前記ユニット間配管３１とが冷媒管にて環状に接続されて冷凍サイクルを形成している。またユニット間配管３１が配管されている箇所には、図３に示すように、循環ファン８や風向器等を作動するための電源コードや冷媒の温度や圧力あるいは室内温度等を検出し、冷媒圧縮機の運転などを制御するためのユニット間ケーブル３２、及び室内熱交換器６で発生した水を排出するためのドレンホース３３などの配管類３４が一緒にまとめられ化粧テープで巻かれて配設されている。
【００１１】
室内機１は、吸込パネル２を有した前部ケース３と背面側の後部ケース４から成る本体ケース５を有し、該本体ケース５の下端部には吹出口（図示せず）が設けられると共に、この本体ケース５内に室内の空気を加熱／冷却する室内熱交換器６が配設されている。室内熱交換器６は冷媒がそのフィンと直交しかつ蛇行させて配設した冷媒管７を通過することにより、冷房／除湿運転時に冷却器として機能し、暖房運転時には加熱器として機能するものである。
【００１２】
また本体ケース５の内部には、室内熱交換器６で取り囲まれるように循環ファン８が設けられ、該循環ファン８により室内の空気が吸込パネル２から吸い込まれ、熱交換器６で加熱／冷却されて冷風／温風が吹出口から再び室内に吹き出されて循環するものである。この他に、滴下するドレン水を溜め排出するために室内熱交換器６の下端部に設けられたドレンパン９や、室内熱交換器６と吸込パネル２との間に配されるエアフィルター、また吹出口に設けられた吹出方向を変更させる風向器（図示せず）などの構成部品を有する。さらに室外機（図示せず）の冷媒圧縮機の運転制御、前記循環ファン８のファンモータの駆動制御等を行うための電装部１１等が、本体ケース５の片側部に区画して内蔵されている。
【００１３】
次に換気装置について説明する。換気装置は、室内機１内に収容される室内部１０Ａ、屋外に設けられる室外部１０Ｂ及び室内・室外部１０Ａ、１０Ｂを繋ぐ共用給排気管１６により構成されている。
【００１４】
室内部１０Ａには、室内空気を室外（屋外）に排気して換気するための室内ファン１２を有し、例えば室内熱交換器６の側面近傍等に配置されている。この室内ファン１２としてはシロッコファンを使用しており、シロッコファンは厚みの薄い略円筒形状の室内ファンケース１３Ａ内にモータ（図示せず）とシロッコファンとが収容されている構造である。シロッコファンが回転すると、室内ファンケース１３Ａの片面側に開けた円形の給気口１４Ａより室内空気が吸い込まれた後、室内ファンケース１３Ａの一端部に設けた吹出部１５ａより吹き出される。
【００１５】
一方、室外部１０Ｂには、屋外空気を室内に給気して換気するための室外ファン２０を有し、室外部１０Ｂは室内機１を取り付けている室内の壁（図示せず）の外に配置されている。この室外ファン２０にもシロッコファンを使用しており、先の室内ファン１２と同様に、シロッコファンが回転すると、室外ファンケース１３Ｂの片面側に開けた円形の給気口１４Ｂより屋外空気が吸い込まれた後、室外ファンケース１３Ｂの一端部に設けた吹出部１５ｂより吹き出される。
【００１６】
前記給排気管１６は室内ファン１２により吸い込んだ室内空気を屋外に排気させ、また室外ファン２０にて吸い込んだ屋外空気を室内に給気するために設けられ、壁穴に挿通して家屋の内外に存在するように配設されている。この給排気管１６は室内機１側からその背部へと出された後、室内機１の背面側に沿って出し口とは反対側へ向かって水平に延ばされ、その先端で直角に曲げられて屋外へと延出されている。前記室内ファン１２と室外ファン２０はこの１本の共用給排気管１６を介して繋がるようにその両端部に設けられている。すなわち給排気管１６の室内側開口端１７ａに繋がるように室内ファンケース１３Ａが設置され、また同管１６の室外側開口端１７ｂに繋がるように室外ファンケース１３Ｂが設置されている。室外ファンケース１３Ｂは給排気管１６の室外側開口端１７ｂにその吹出部１５ｂが挿脱自在に接続され、ぶら下がった格好で取り付けられている。
【００１７】
次に換気装置の屋外部分について詳しく説明する。図１、図２において、室外部１０Ｂの室外ファンケース１３Ｂは、厚みの薄い略円筒形状をしており、前ケース２１と後ケース２２を有してこれらのケース２１、２２がねじにて組み立てられている。後ケース２２にはファンモータ（図示せず）とファンモータに取り付けられたシロッコファン（室外ファン２０）が収容されており、ファンモータにはこのモータに通電するための電線２３が接続されている。この電線２３は、後ケース２２内部の側壁に沿って配線され固定され吹出部１５ｂ側面から外側に延出され、さらにコネクタ２４を介して室内機１の電装部１１へ接続されている。このコネクタ２４は配管類３４が通る壁穴の内側に配置されるようになっている。
【００１８】
前ケース２１は前記給気口１４Ｂを有し、給気口１４Ｂには後方に傾斜した複数の横板２５、２５・・が間隔を開けて設けられている。これら横板２５、２５・・を設けたことにより多量に塵埃や異物が内部に吸い込まれないようにすると共に、室外ファン２０を雨風や塵埃から保護している。また室外ファンケース１３Ｂの下端部には侵入した雨水を排出するための水抜き穴（図示せず）が設けられている。この室外ファン２０の場合も、シロッコファンは厚みが薄い構造のものなので、屋外の壁面から分厚く存在するようにならず、外観を悪くしないという点で有利となる。
【００１９】
また、室外ファンケース１３Ｂの後板３５の背面側には、図２に示すように、前記配管類３４に取り付けるための２つの固定部３６、３６が設けられている。これら固定部３６、３６は合成樹脂又は金属等で柔軟性のある材質で作られ、図３に示すように、配管類３４の横断面に合わせた大きさでＣ字形状をしている。配管類３４の横断面形状は正確な円形ではないが、固定部３６に柔軟性があるため固定部３６の後部の分離部分を配管類３４の周側面へ挿入することにより固定部３６が配管類３４に嵌合して固定される。これにより室外ファンケース１３Ｂが配管類３４に沿って固定される。さらに室外ファンケース１３Ｂの吹出部１５ｂ上部を結束バンド３７にて配管類３４へ固定することによりしっかり固定される。なお、室外ファンケース１３Ｂを配管類３４から外すときには、結束バンド３７を切断し固定部３６、３６を配管類３４から外すことにより容易に外すことができる。
【００２０】
このように換気装置の室外部１０Ｂは、室外ファンケース１３Ｂが給排気管１６に挿脱自在に取り付けられると共に、配管類３４に着脱自在に取付固定され、ファンモータへの通電用の電線がコネクタ２４を介して接続されているので、室外部１０Ｂは換気装置から容易に着脱でき、室外部１０Ｂの保守・点検や室外ファン２０、ファンモータの交換が容易に行え、その作業時間を短縮することができる。
【００２１】
前記換気装置は、作動時に室内ファン１２と室外ファン２０はどちらか一方を駆動するものとされており、同時に駆動するものとはなっていない。そこで室内ファン１２を単独で駆動したときには、室内ファン１２により室内空気がその給気口１４Ａから吸い込まれ、給排気管１６を経て前記室外ファン２０の給気口１４Ｂを吹出部として屋外に排気されることにより、換気が行われる。一方室外ファン２０を単独で駆動したときは、室外ファン２０により屋外空気がその給気口１４Ｂから吸い込まれ給排気管１６を通じて前記室内ファンの給気口１４Ａを吹出部として室内に吹き出されることにより、換気が行われる。
【００２２】
以上、実施例に基づいて本発明を説明したが、本発明は、これに限定されるものではなく、要旨を逸脱しない範囲内で変形可能である。
【００２３】
本実施例の換気装置では、建物の壁穴に挿通されて家屋の内外に配され室外ファンに繋がれる給排気管を有しているが、この給排気管を有さずに建物の壁穴を通して室外ファンにより換気する換気装置にも適用可能である。
【図面の簡単な説明】
【００２４】
【図１】本発明の一実施形態における、室内機の内部に排気用の室内ファンを設け、屋外に給気用の室外ファンを設けて給気又は排気を行い換気させる換気装置を備えた空気調和機を示す斜視図である。
【図２】換気装置の室外ファンケースを後方から見た斜視図である。
【図３】室外ファンケースの固定部を示す要部平面図である。
【符号の説明】
【００２５】
１  室内機
２  吸込パネル
６  室内熱交換器
９  ドレンパン
１０Ａ  室内部
１０Ｂ  室外部
１１  電装部
１２  室内ファン
１３Ａ  室内ファンケース
１３Ｂ  室外ファンケース
１４Ａ  室内ファンケースの給気口
１４Ｂ  室外ファンケースの給気口
１５ａ  室内ファンケースの吹出部
１５ｂ  室外ファンケースの吹出部
１６  給排気管
１７ａ  室内側開口端
１７ｂ  室外側開口端
２０  室外ファン
２１  前ケース
２２  後ケース
２３  電線
２４  コネクタ
２５  横板
３１、３１ａ、３１ｂ  ユニット間配管
３２  ユニット間ケーブル
３３  ドレンホース
３４  配管類
３５  後板
３６  固定部
３７  結束バンド
【図１】
2005077044.tif 000003
【図２】
2005077044.tif 000004
【図３】
2005077044.tif 000005